(57)【要約】 【課題】  ブラインドシートの透明部分と不透明部分の整列を、経済的、容易、正確に行うこと。【解決方法】    本発明は、室内の採光を容易かつ効率的に調整するための、折り返しよって部分的に重ね合わせた透明部分と不透明部分を交互に設けるブラインドシートを備えたロールタイプのブラインドに関するものである。このブラインドは、上方端部支持バーと；上方端部支持バーの両端に設けられ、相互に対向したブラケットの対と；両端をそれぞれ対応するブラケット内に回転可能に取り付けた巻き取りロッドと；スプロケット部材を介して巻き取りロッドを回転させるために、一方のブラケットと巻き取りロッドの間に設けられた調整コードと；交互に配置した透明部分と不透明部分を設け、一端を巻き取りロッドに固定され、他端を上方端部支持バーに固定されているブラインドシートと；さらに、ブラインドシートをしっかりと引張させるために、ブラインドシートの下方端部に設けられた錘本体とを備えている。【選択図】  図４
2006029072.tif 000002
【特許請求の範囲】
【請求項１】
採光を調整するブラインドであり；
上方端部支持バーと；
上方端部支持バーの両端に設けられ、相互に対向したブラケットの対と；
両端をそれぞれ対応するブラケット内に回転可能に取り付けた巻き取りロッドと；
スプロケット部材を介して巻き取りロッドを回転させるために、一方のブラケットと巻き取りロッドの間に設けられた調整コードと；
交互に配置した透明部分と不透明部分を設け、一端を巻き取りロッドに固定され、他端を上方端部支持バーに固定されているブラインドシートと；さらに、
ブラインドシートをしっかりと引張させるために、ブラインドシートの下方端部に設けられた錘本体と；を備えていることを特徴とするブラインド。
【請求項２】
上方端部支持バーが、ブラインドシートの一端を固定するべくその下方端部に形成された延長舌部を備えていることを特徴とする請求項１に記載のブラインド。
【請求項３】
錘ロッドが一つよりも多い座部を備え、ブラインドシートがその一端に固定部品を含んでいるため、固定部品を座部内に取り付けることが可能である、ことを特徴とする請求項１に記載のブラインド。
【請求項４】
延長舌部が座溝を備え、ブラインドシートがその他端にさらなる固定部品を備えているため、固定部品を座溝内に取り付けることが可能である、ことを特徴とする請求項２に記載のブラインド。
【請求項５】
巻き取りロッドは１つよりも多い座部を含み、延長舌部は座溝を含み、ブラインドシートがその両端に固定部品を設けているため、固定部品をそれぞれ座部と座溝内に取り付けることができる、ことを特徴とする請求項１または２のいずれか一項に記載のブラインド。
【請求項６】
錘本体が、ブラインドシートの下方端部にループ状に形成されたロッドを備え；錘バーがブラインドシートよりも下に設けられており、その重さによってブラインドシートをしっかりと引張させ；ロッドと錘バーの両端に、それらを相互に接続するために設けられた固定キャップとを備えている、ことを特徴とする請求項１に記載のブラインド。
【請求項７】
固定キャップと接続するためにロッドの両端に設けられた回転キャップの対を備え、回転キャップの各々が、その一端に、各々の固定キャップの内面に形成された軸突出部と接続するための軸孔を備え、さらにその他端に、ロッドの端部を内部に受容するための固定溝を備えている、ことを特徴とする請求項６に記載のブラインド。
【請求項８】
錘本体が、ブラインドシートの下方端部のループ内に配置する中空の中心部を設けた錘バーを備え；錘バーの端部を覆うべく錘バーの両端に設けられた回転キャップをさらに備え、その各々が中央に軸孔を設けており；回転キャップの軸孔と接続するために、対応する軸突出部を設けた固定キャップの対を備え、これにより錘バーの両端部が閉鎖されるため、その内部で回転キャップが滑らかに回転できるようになる、ことを特徴とする請求項１に記載のブラインド。
【請求項９】
相互に対向した垂直案内レールがブラインドシートの両端部に設けられているため、固定キャップの各々を垂直案内レールに取り付けることが可能でなる、ことを特徴とする請求項６または８のいずれか一項に記載のブラインド。
【請求項１０】
垂直案内レールの断面が“□”形状に形成されている、ことを特徴とする請求項９に記載のブラインド。
【発明の詳細な説明】
【技術分野】
【０００１】
本発明は、採光を調整するためのブラインドに関し、より詳細には、室内の採光を容易かつ効率的に調整することができる、交互に配置され、折り返しより部分的に交互に重なり合う透明部分と不透明部分を設けたブラインドシートを備えたロールタイプのブラインドに関するものである。
【背景技術】
【０００２】
一般に、カーテンまたはブラインドのような遮蔽部材は、光景を遮る、または窓からの光を遮断するために使用されている。
【０００３】
このような従来の遮蔽部材を使用して室内の採光を調整するためには、遮蔽部材を右/左、または上/下方向へ移動させなければならず、この場合、外部から室内が見えてしまい、プライバシーの侵害または公的不法妨害となる可能性があった。
【０００４】
そのため、最近は新規タイプのブライドが開発されており、このブライドは、透明部分と不透明部分を交互に配置し、これを折り返すことで重ね合わせたブラインドシートを備えているため、ブラインドを右または左、あるいは上または下方向に移動させることで、室内を外部に露呈させてしまうことなく室内の採光を調整できる。
【０００５】
図１は、重なり合うブラインドシートを備えたこのような従来型ブラインドの分解斜視図であり、図２は、ブラインドのブラケット内にクラッチばねを設けたブラインドの一部分を示す側面図である。図３は、従来型ブラインドの動作状態を示す側面図である。このような従来型ブラインドは、日本特許公開公報1995年（平成7年）−第189,573号に開示されている。
【０００６】
ブラインドシート１４は折り返されて、前方ブラインドシート１４ａと後方ブラインドシート１４ｂを設けるようになっており、これらの上方端部は共に、巻き取りロッド１２の周囲に巻き取られるか、またはここから巻き戻される。ブラインドシート１４の下方端部は、錘バー１６を中心としてその周囲でループを形成している。
【０００７】
図３に示すように、ブラインドシート１４は、所定の幅で交互に配置された透明部分と不透明部分１３と１５を備えている。
【０００８】
透明部分１３は、ブラインドシート１４を粗い織り方をして（sparsely weaving）形成されているため、これを介した室内の通気と採光が可能になっている。
【０００９】
巻き取りロッド１２の右端部にて回転するように、クラッチ軸１８が巻き取りロッド１２と一体に形成されている。クラッチ軸１８のその軸方向に沿った中心には、矩形の孔２０が設けられている。
【００１０】
さらに、前方ブラインドシート１４ａと後方ブラインドシート１４の間の、巻き取りロッド１２から所定の距離で離れた場所には、変動ロッド２２が設けられている。
【００１１】
変動ロッド２２の両端の各々は、変動部材２３、２４のそれぞれの一端に形成された開口部に取り付けられている。変動部材２３、２４のそれぞれの他端には、巻き取りロッド１２とクラッチ軸１８の端部１２ａの各々と一致する開口部２５、２６が設けられている。
【００１２】
変動部材２４の開口部２６の下には突出部２８が形成されている。
【００１３】
さらに変動部材２４の付近には、クラッチ軸１８の周囲に取り付けるためのクラッチばね３０が設けられている。
【００１４】
クラッチばね３０は、クラッチ軸１８の周縁に対して外側で湾曲した両端３０ａ、３０ｂを備え、これにより、変動部材２４の開口部２６の下に形成された突出部２８が湾曲した端部３０ａ、３０ｂの間に位置決めされる。
【００１５】
ブラインドシート１４を最後まで展開すると、クラッチばね３０がクラッチ軸１８と結合し、クラッチ軸１８と一体となって回転する。しかし、以降に記述するように変動部材２４の移動によってクラッチばね３０の直径が拡大すると、クラッチ軸１８のクラッチングが解除され、その後はクラッチ軸１８のみが回転するようになる。
【００１６】
巻き取りロッド１２とクラッチ軸１８を回転可能に支持するために、巻き取りロッド１２ａとクラッチ軸１８の端部には、変動部材２３、２４の他にブラケット３２、３４が設けられている。
【００１７】
図１に示すように、左ブラケット３２は受容開口部３３を備え、その内部には、変動部材２３の開口部を通過した巻き取りロッド１２ａが取り付けられる。さらに、右ブラケット３４は、内部にクラッチばね３０が取り付けられた受容開口部３６を設け、さらに、受容開口部３６の下方部内に切頭部分３８を設けている。
【００１８】
クラッチばね３０の湾曲端部３０ａ、３０ｂは、切頭部分３８内に配置されて、切頭部分３８の範囲内で移動する。
【００１９】
クラッチばね３０の一方の湾曲端部３０ａが切頭部分３８の一方の端部３８ａと接触している場合、変動部材２４の突出部２８は垂直に位置決めされ、また、変動部材２４と突出部２８が所定の角度で回転されると、クラッチばね３０の他方の湾曲端部３０ｂが切頭部分３８の他方の端部と接触する。
【００２０】
クラッチばね３０はクラッチ軸１８に取り付けられているため、ブラケット３４によって回転可能に支持される。
【００２１】
ブラケット３４の付近には動作ギア４０が設けられ、この動作ギアの中央が矩形孔４２を備え、動作ギアの周囲に調整コード４４が巻かれている。
【００２２】
動作ギア４０の矩形孔４２内、およびクラッチ軸１８の矩形孔２０内には四角形バー４６が挿入されており、動作ギア４０とクラッチ軸１８を一体的に回転させる。
【００２３】
したがって、ブラインドシート１４を降下させるためには、調整コード４４の紐４４ａを引き下げることで、動作ギア４０を図１中の右方向に向かって回転させる。
【００２４】
次に、四角形バー４６によって、クラッチ軸１８と巻き取りロッド１２が動作ギア４０と共に回転され、さらに、クラッチばね３０も受容開口部３６内で右方向に回転される。
【００２５】
このクラッチばね３０の回転により、クラッチばね３０の湾曲端部３０ａが切頭部分３８の端部３８ａから取り外され、また、クラッチばね３０の他方の湾曲端部３０ｂが切頭部分３８の他方の端部３８ｂと接触するとこの回転が停止する。
【００２６】
この回転の最中に、突出部２８が図２中の位置Ａから位置Ｂへと移動され、また、変動ロッド２２が、図３中の一点鎖線に示すように位置Ｂへと右方向に移動する。
【００２７】
次に、調整コード４４の紐４４ａをさらに引き下げると、巻き取りロッド１２がさらに回転し、クラッチばね３０の湾曲端部３０ｂが切頭部分３８の他方の端部によって押圧される。その結果、クラッチばね３０が緩んでクラッチ軸１８から解放されるため、巻き取りロッド１２のみが回転を続ける。
【００２８】
このようにして、ブラインドシート１４を所望の位置にまで引き下げることができる。
【００２９】
次に、ブラインドシート１４を停止する場合は、調整コード４４の引き下げを止めることで動作ギア４０の回転を停止させる。
【００３０】
これにより巻き取りロッド１２が回転を停止し、ブラインドシート１４をそれ以上引き下げることができなくなる。
【００３１】
動作ギア４０の回転が停止すると、クラッチばね３０からの右方向への回転力は変動部材２４に作用せず、錘バー１６による下方に向かう力が変動部材２４に作用することで、変動部材２４が図２中の左方向へ回転する。
【００３２】
このようにして、変動部材２４の突出部２８がクラッチばね３０の湾曲端部３０ａを左方向に向かって押圧し、クラッチばね３０がクラッチ軸１８と合うように取り付けられる。これにより、変動部材２４の回転が抑制され、変動ロッド２２が図３中の位置Ｂを維持する。
【００３３】
変動ロッド２２が図３中の位置Ｂにある場合、前方ブラインドシート１４ａの不透明部分１５が後方ブラインドシート１４ｂの透明部分１３と重なり合い、ブラインドシート１４全体が透けない状態になるため、ブラインド１０を介した採光および通気ができない。
【００３４】
これに対して、ブラインド１０を介した採光と通気を可能にするには、調整コード４４の別の紐４４ｂを引き下げて、動作ギア４０を左方向に回転させる。
【００３５】
これにより、四角形バー４６によってクラッチ軸１８と巻き取りロッド１２が動作ギア４０と共に回転され、さらに、クラッチばね３０が受容開口部３６内で左方向に回転する。
【００３６】
クラッチばね３０が左方向に回転すると、クラッチばね３０の他方の湾曲端部３０ｂが切頭部分３８の他方の端部３８ｂから取り外され、また、クラッチばね３０の湾曲端部３０ａが切頭部分３８の端部３８ａと接触するまで回転が継続する。
【００３７】
この回転の最中に、突出部２８が位置Ｂから位置Ａへ移動され、変動ロッド２２が図３中に示す位置へと左方向に回転する。
【００３８】
したがって、変動部材２４の回転によって、前方ブラインドシート１４ａの透明部分１３または不透明部分１５を、後方ブラインドシート１４ｂの透明部分１３または不透明部分１４と重ね合わせることで、ブラインドシート１４を介した採光および通気を調整できるようになる。
【発明の開示】
【発明が解決しようとする課題】
【００３９】
しかしながら、上述したとおりの従来型のブラインド１０には以下の欠点が伴う。
【００４０】
まず第１に、従来型のブラインドは、前方ブラインドシートと後方ブラインドシートの透明部分１３または不透明部分１５を整列させるため、またはこれらを交互に配置するために、変動部材２４の対、変動ロッド２２、クラッチばね３０が必要であり、製造コストと生産性の点からして経済的でなかった。
【００４１】
第２に、調整コード４４を引き下げてブラインドシート１４の巻き戻しを行っても、前方ブラインドシート１４ａが巻き取りロッド１２上に停止または保留されてしまい、ブラインドシート１４が滑らかに巻き戻されないことが時々あった。
【００４２】
第３に、前方ブラインドシート１４ａが変動ロッド２２によって傾斜状態に維持されている一方で、後方ブラインドシートは垂直に維持されているため、透明部分と不透明部分が完全に重なり合うように調整することが困難であった。
【００４３】
つまり、前方ブラインドシート１４ａが後方ブラインドシート１４ｂから離間して維持されるため、採光を適切に調整することが容易でなかった。
【００４４】
最後に、前方ブラインドシート１４ａが、変動ロッド２２の変動によって公報ブラインドシート１４ｂから離間して配置されるので、従来のブラインドを設置するために窓の周囲に多くの空間が必要であった。
【課題を解決するための手段】
【００４５】
したがって、本発明の目的は、巻き取りロッド周囲で共に垂直に垂下され、また、ブラインドシートの透明部分と不透明部分を整列させる、またはずらすことによって、迅速に調整することが可能な前方ブラインドシートと後方ブラインドシートを備えたロールタイプのブラインドを提供することにより、室内の最高を効果的且つ迅速に調整できるように、上述した従来型ブラインドの欠点を解決することである。
【００４６】
本発明の別の目的は、ロールタイプブラインドの一端のみを巻き取りロッドに巻き取る、またはこれから巻き戻す一方で、他端は支持バーに固定された状態に維持され、これにより、ブラインドシートの透明部分と不透明部分との重ね合わせを高い正確性にて容易に調整することが可能なロールタイプのブラインドを提供することである。
【００４７】
本発明のさらなる目的は、安定して上下移動を行い、変動することのないブラインドを提供することである。
【００４８】
上述の目的を達成するために、本発明による採光を調整するブラインドは、上方端部支持バーと；上方端部支持バーの両端に設けられ、相互に対向したブラケットの対と；両端をそれぞれ対応するブラケット内に回転可能に取り付けた巻き取りロッドと；スプロケット部材を介して巻き取りロッドを回転させるために、一方のブラケットと巻き取りロッドの間に設けられた調整コードと；交互に配置した透明部分と不透明部分を設け、一端を巻き取りロッドに固定され、他端を上方端部支持バーに固定されているブラインドシートと；さらに、ブラインドシートをしっかりと引張させるために、ブラインドシートの下方端部に設けられた錘本体とを備えている。
【発明の効果】
【００４９】
ブラインドシートの透明部分と不透明部分を整列させるまたはずらすことで、前方ブラインドシートと後方ブラインドシートを迅速に調整することにより、室内の採光を効果的かつ素早く調整することができる。ロールタイプのブラインドの一端のみが巻き取りロッド上に巻き取られる、あるいは巻き取りロッドから巻き戻され、他端は支持バー上に固定されていることで、ブラインドシートの透明部分と不透明部分との重なり合いを、高い正確性にて容易に調整できる。前方ブラインドシートが傾斜状態ではなく垂直に維持されており、しかも変動がないため、ブラインド設置のために窓周囲に広い空間を要することがない。ブラインドシートの両側に設けられている垂直案内レールにより、ブラインドシートの窓または壁への衝突、あるいは変動によって生じる騒音および窓または壁への損傷を防止できる。
【発明を実施するための最良の形態】
【００５０】
添付の図面は、本発明をさらに理解するために示したもので、また本願明細書の一部分に含まれそれを構成しており、さらに、本発明の原理を説明する役割をする記述と共に本発明の実施形態を例証する。
【実施例】
【００５１】
次に、添付の図面と共に本発明の好ましい実施形態を詳細に参照する。
【００５２】
図４〜図８を参照すると、本発明による採光を調整するブラインド１１０は、上方端部支持バー１１１と；上方端部支持バー１１１の両端に対向して配置されたブラケット１１２の対と；一つのブラケット１１２と巻き取りロッド１１４の間に設けられており、巻き取りロッド１１４をスプロケット１１３へと回転させるための調整コード１１６と；透明部分と不透明部分１１５−１、１１５−２を交互に配置して成り、折り返されて一端が巻き取りロッド１１４に固定され、他端が上方端部支持バー１１１に固定されるように設けたブラインドシート１１５と；ブラインドシート１１５の下方端部に設けられ、ブラインドシート１１５をしっかりと引張させる錘本体１３０とを備えている。
【００５３】
ブラケット１１２どうしの間に巻き取りロッド１１４を設ける上で、巻き取りロッド１１４の左端部が、調整コード１１６で操作するスプロケット部材１１３を通ってブラケット１１２内に取り付けられる。
【００５４】
上方端部支持バー１１１は、その下方端部にてこれと一体に形成された、ブラインドシート１１５の一端を取り付けるための延長舌部１２０を備えている。ブラインドシート１１５の他端が、巻き取りロッド１１４に取り付けられている。
【００５５】
ブラインドシート１１５を延長舌部１２０と巻き取りロッド１１４に取り付ける工程において、ネジ、バンド、その他のような固定部材を使用できる。しかし、このような固定部材を使用せずにブラインドシート１１４を取り付けることがより好ましい。
【００５６】
この目的のために、本発明の一実施例に従い、巻き取りロッド１１４は1つ以上の座部１１４−１を設けていてよく、また、ブラインドシート１１５はその一端に固定部品１１７を設け、固定部品１１７を座部１１４−１内に取り付けられるようにしてもよい。
【００５７】
さらに、延長舌部１２０が座溝１２０−１を設けられ得、また、ブラインドシート１１５はその他端に別の固定部品１２１を設けられ得、これにより固定部材１２１を座溝１２０−１内に取り付けられるようにできる。
【００５８】
したがって、さらに固定部材を追加することなく、ブラインドシート１１５を延長舌部１２０と巻き取りロッド１１４上に設置することが可能である。
【００５９】
延長舌部１２０を上方端部支持バー１１１と別に形成することもできるが、しかし、製造コストと製造性を考慮した場合、延長舌部１２０を上方端部支持バー１１１と一体に形成することがより好ましい。
【００６０】
ブラインドシート１１５は、ブラインドシート１１５の折り返した下方端部に設けた錘本体１３０によってしっかりと引張する。
【００６１】
図６は、錘本体１３０の或る実施形態を示す断面図であり、錘本体１３０は、ブラインドシート１１５の下方端部に設けられたループ状のロッド１３１と；ブラインドシート１１５の下に設けられ、ブラインドシート１１５をその重量によってしっかりと引張させるための錘バー１３７と；ロッド１３１と錘バー１３７の両端に、これらを接続するために設けられた固定キャップ１４０とを備えている。
【００６２】
回転キャップ１３３の対を、固定キャップ１４０に接続されるロッド１３１の両端に設けて、ブラインドシート１１５が上下に移動するとロッド１３１がブラインドシート１１５のループ内で滑らかに回転できるようにすることが好ましい。
【００６３】
本発明の一実施例では、回転キャップ１３３の各々は、その一端に、軸突出部１４２と接続する軸孔１３６を設け、また、他端に、ロッド１３１の端部を内部に受容するための固定溝１３５を設けている。これにより、回転キャップ１３３は、軸突出部１４２を中心としてその周囲で回転でき、また固定キャップ１４０内でロッド１３１を滑らかに回転させることができる。
【００６４】
図７は、分解した状態の錘本体１３０の別の実施形態を示し、図８は、組み立てた状態にある図７の錘本体１３０の断面図であり、錘本体１３０は、ブラインドシート１１５の下方端部のループ内に、中心部が中空の錘バー１５９を備え；錘バー１５９の端部を覆うために、錘バー１５９の両端に設けられた回転キャップ１５５を備え、この回転キャップの各々の中心には軸孔１５８が設けられており；回転キャップ１５５の軸孔１５８に接続するため、それぞれに対応する軸突出部１５４を設けた固定キャップ１５０の対を備え、これにより、重量バー１５９の両端を閉鎖し、回転キャップ１５５が内部で滑らかに回転できるようになる。
【００６５】
一方、窓が高い位置にある場合には、巻き取りロッド１１４に対するブラインドシート１１５の巻き取りおよび巻き戻しをする際に、小刻みな巻きを行えばよい。そのために、ブラインドシート１１５の変動によって生じる騒音および窓または壁への損傷を防止する手段をさらに設けることができる。
【００６６】
図６を参照すると、本発明のさらなる実施例に従って、ブラインドシート１１５の両端に垂直案内レール１４５を設けて、固定キャップ１４０または１５０を垂直案内レール１４５にそれぞれ固定できるようにしている。垂直案内レール１４５は、実質的に“□”形状に形成できる。
【００６７】
上述のとおり構成された本発明によるブラインドは、以降に述べるように動作および機能する。
【００６８】
上方端部支持バー１１１の一端にある調整コード１１６を左方向に向かって引き下げると、巻き取りロッド１１４が左方向に回転する。
【００６９】
巻き取りロッド１１４が回転すると、一端が座部１１４−１に固定されている前方ブラインドシート１１５が巻き取りロッド１１４に巻き取られることにより、ブラインドシート１１５が徐々に上昇する。
【００７０】
前方ブラインドシート１１５を巻き取りロッド１１４に沿って巻き上げると、ブラインドシート１１５のループ内の錘本体１３０のロッド１３１が自由に回転し、ブラインドシート１１５をしっかりと引張した状態に保つ。これにより、ブラインドシート１１５を巻き取りロッド１１４上に容易に巻き取ることができる。
【００７１】
ブラインドシート１１５の両側部に垂直案内レール１４５を設けている場合には、固定キャップ１４０または１５０が、垂直案内レール１４５に形成された溝に沿って安定的に移動することで、ブラインドシート１１５と錘本体１３０が変動することなく垂直に上昇することができる。
【００７２】
反対に、調整コード１１６を右方向に向かって引き下ろすと、巻き取りロッド１１４が右方向に回転し、巻き取りロッド１１４に巻き取られたブラインドシート１１５が徐々に展開されて下方に垂下する。
【００７３】
ブラインドシート１１５を展開すると、その下方端部のループ内に配置された錘本体１３０のロッド１３１が左方向に回転し、これによりブラインドシート１１５がしっかりと引張することができる。
【００７４】
さらに、ブラインドシート１１５を展開すると、固定キャップ１４０、１５０が垂直案内レール１４５に形成された溝に沿って移動するため、ブラインドシート１１５と錘本体１３０が変動することなく垂直に降下できる。
【００７５】
上述したように、巻き取りロッド１１４に対して巻き取り、巻き戻しするブラインドシート１１５を調整することで、ブラインドシート１１５の位置に関係なく、ブラインドシート１１５の透明部分１１５−１と不透明部分１１５−２を重ね合わせたり、またはずらしたりでき、これにより、室内の採光を迅速かつ効率的に調整することが可能になる。
【００７６】
つまり、調整コード１１６を右方向または左方向に引き下げることで、巻き取りロッド１１４上に固定されているブラインドシート１１５の一端の巻き取り、巻き戻しが行われ、その一方で、延長舌部１２０の座溝１２０−１上に固定されているブラインドシート１１５の他端は固定された状態に維持され、これにより透明部分１１５−１と不透明部分１１５−２が重なる範囲を自由に調整できる。
【００７７】
調整コード１１６の動作によってブラインドシート１１５が引き上げられる、または引き下げられると、錘本体１３０がブラインドシート１１５の下方端部のループ内に設けられているため、ロッド１３１と回転キャップ１３３が右方向または左方向に回転される。
【００７８】
さらに、ロッド１３１はブラインドシート１１５の下に位置する錘バー１３７によって下方向に引かれるため、ブラインドシート１１５を常にしっかりと引張することができる。
【００７９】
同様に、図７、図８を参照すると、ブラインドシート１１５が調整コード１１６によって引き上げ、または引き下げられると、ブラインドシート１１５の下方端部のループ内に在る錘バー１５９が回転キャップ１１５と共に右方向または左方向に回転するため、その重さによってブラインドシート１１５が垂下でき、常にしっかりと引張した状態に維持される。
【００８０】
上述したように、本発明により下記の利点が得られる。
【００８１】
まず、本発明によるロールタイプのブラインドは、前方ブラインドシートと後方ブラインドシートを備え、これらは共に巻き取りロッドの周囲で垂直に吊り下げられており、ブラインドシートの透明部分と不透明部分を整列させる或いはずらすことによって、迅速に調整することが可能であり、室内の採光を効果的かつ素早く調整することができる。
【００８２】
さらに本発明によれば、ロールタイプのブラインドの一端のみが巻き取りロッド上に巻き取られる、あるいは巻き取りロッドから巻き戻され、他端は支持バー上に固定されているため、ブラインドシートの透明部分と不透明部分との重なり合いを、高い正確性にて容易に調整できる。
【００８３】
さらに本発明によれば、ロールタイプのブラインドは変動することなく、安定した上下運動が可能である。
【００８４】
またさらに本発明によれば、従来のブラインドのようにブラインドの前方ブラインドシートが傾斜状態にではなく垂直に維持されており、しかも変動がないため、ブラインド設置のために窓周囲に広い空間を要することがない。
【００８５】
最後に、ブラインドシートの両側に設けられている垂直案内レールにより、ブラインドシートの窓または壁への衝突、あるいは変動によって生じる騒音および窓または壁への損傷を防止できる。
【００８６】
等業者は、本発明の精神および概念の範囲内で、本発明への様々な改良および変形が可能であることを理解するだろう。本発明は、その改良および変形が付属の請求項およびその等価物の範囲内に含まれる限り、これらを包括するものである。
【産業上の利用可能性】
【００８７】
外部から室内が透けて見えることがなく、さらに通気性を有する本発明のブラインドは、プライバシーの保護を望む企業、公的機関、一般家庭において幅広く使用される。
【図面の簡単な説明】
【００８８】
【図１】従来型ブラインドの分解斜視図。
【図２】図１の従来型ブラインドの一部分であり、クラッチばねがブラケット内に設置されている様子を示した側面図。
【図３】図１の従来型ブラインドの動作状態を示す側面図。
【図４】本発明によるブラインドを部分的に分解した状態の斜視図。
【図５】図４のブラインドの縦断面図。
【図６】本発明によるブラインドの錘本体の一実施例を示した断面図。
【図７】本発明によるブラインドの錘本体の別の実施例を示した分解斜視図。
【図８】組み立てた状態にある図７の錘本体の断面図。
【符号の説明】
【００８９】
１０    ブラインド
１２    巻き取りロッド
１２ａ  巻き取りロッドの端部
１３    透明部分
１４    ブラインドシート
１４ａ  前方ブラインドシート
１４ｂ  後方ブラインドシート
１５    不透明部分
１８    クラッチ軸
２０    矩形孔
２２    変動ロッド
２３    変動部材の端部
２４    変動部材の端部
２５    開口部
２６    開口部
２８    突出部
３０    クラッチばね
３０ａ  クラッチばねの端部
３０ｂ  クラッチばねの端部
３２    ブラケット
３４    ブラケット
３３    受容開口部
３６    受容開口部
３８    切頭部分
３８ａ  切頭部分の端部
３８ｂ  切頭部分の端部
４０    動作ギア
４２    矩形孔
４４    調整コード
４４ａ  紐
４４ｂ  紐
４６    四角形バー
１１０  ブラインド
１１１  上方端部支持バー
１１２  ブラケットの対
１１３  スプロケット部材
１１４  巻き取りロッド
１１４−１  座部
１１５  ブラインドシート
１１５−１  透明部分
１１５−２  不透明部分
１１６  調整コード
１１７  固定部品
１２１  固定部品
１２０  延長舌部
１２０−１  座溝
１３０  錘本体
１３１  ロッド
１３３  回転キャップ
１３５  固定溝
１３６  軸孔
１３７  錘バー
１４０  固定キャップ
１４２  軸突出部
１４５  垂直案内レール
１５５  回転キャップ
１５８  軸孔
１５９  錘バー
【図１】
2006029072.tif 000003
【図２】
2006029072.tif 000004
【図３】
2006029072.tif 000005
【図４】
2006029072.tif 000006
【図５】
2006029072.tif 000007
【図６】
2006029072.tif 000008
【図７】
2006029072.tif 000009
【図８】
2006029072.tif 000010
【外国語明細書】
2006029072.tif 000011
2006029072.tif 000012
2006029072.tif 000013
2006029072.tif 000014
2006029072.tif 000015
2006029072.tif 000016
2006029072.tif 000017
2006029072.tif 000018
2006029072.tif 000019
2006029072.tif 000020
2006029072.tif 000021
2006029072.tif 000022
2006029072.tif 000023
2006029072.tif 000024
2006029072.tif 000025
2006029072.tif 000026
2006029072.tif 000027
2006029072.tif 000028
2006029072.tif 000029
2006029072.tif 000030
2006029072.tif 000031
2006029072.tif 000032
2006029072.tif 000033
2006029072.tif 000034
2006029072.tif 000035